(57)【要約】【課題】プラズマディスプレイパネルを提供する。【解決手段】互いに離隔されて対向して配置される第１基板２１０及び第２基板２２０と、第１基板２１０と第２基板２２０との間に配置され、複数個の放電セル２３０を画定する隔壁２１４及び放電セル２３０で放電を起こす放電電極対２６０，２７０を備え、実質的な放電が発生する放電領域と当該放電領域の少なくとも一部分を取り囲む非放電領域とに区画される電極シート２５０と、非放電領域に対応する第１基板２１０の部分に形成された離隔層２５５と、を備え、電極シート２５０の放電領域の少なくとも一部分が第１基板２１０と離隔されて排気空間を形成するように、電極シート２５０の非放電領域の一部分は、離隔層２５５と第２基板２２０との間に配置される。【選択図】図３
2007242610.tif 000002
【特許請求の範囲】
【請求項１】
互いに離隔されて対向して配置される第１基板及び第２基板と、
前記第１基板と前記第２基板との間に配置され、複数個の放電セルを画定する隔壁と、前記放電セルで放電を起こす放電電極対とを備え、実質的な放電が発生する放電領域と当該放電領域の少なくとも一部分を取り囲む非放電領域とに区画される電極シートと、
前記非放電領域に対応する前記第１基板の部分に形成された離隔層と、を備え、
前記電極シートの放電領域の少なくとも一部分が前記第１基板と離隔されて排気空間を形成するように、前記電極シートの非放電領域の一部分は、前記離隔層と前記第２基板との間に配置されることを特徴とするプラズマディスプレイパネル。
【請求項２】
前記電極シートの非放電領域は、前記放電領域を取り囲むように配置されることを特徴とする請求項１に記載のプラズマディスプレイパネル。
【請求項３】
前記離隔層は、前記第１基板のエッジに沿って形成される閉鎖型構造を有することを特徴とする請求項２に記載のプラズマディスプレイパネル。
【請求項４】
前記放電セルを密封するように、前記離隔層と前記第２基板とを結合する密封層をさらに備えることを特徴とする請求項１に記載のプラズマディスプレイパネル。
【請求項５】
前記電極シートは、実質的に均一な厚さを有することを特徴とする請求項１に記載のプラズマディスプレイパネル。
【請求項６】
前記放電セルに対向する前記第１基板上には、グルーブが形成されていることを特徴とする請求項１に記載のプラズマディスプレイパネル。
【請求項７】
前記グルーブ内に配置される蛍光体層をさらに備えることを特徴とする請求項６に記載のプラズマディスプレイパネル。
【請求項８】
前記各放電電極対は、前記隔壁内で前記第１基板に実質的に垂直方向に離隔されて配置される第１放電電極及び第２放電電極を備え、
前記第１放電電極と前記第２放電電極とは、互いに交差して延びており、
前記第１放電電極及び第２放電電極は、それぞれ延びる方向に沿って配置された各放電セルの少なくとも一部分を取り囲むことを特徴とする請求項１に記載のプラズマディスプレイパネル。
【請求項９】
前記各放電電極対は、前記隔壁内で前記第１基板に実質的に垂直方向に離隔されて配置される第１放電電極及び第２放電電極を備え、
前記第１放電電極と前記第２放電電極とは、互いに平行に延びており、
前記第１放電電極及び第２放電電極は、それぞれ延びる方向に沿って配置された各放電セルの少なくとも一部分を取り囲むことを特徴とする請求項１に記載のプラズマディスプレイパネル。
【請求項１０】
前記プラズマディスプレイパネルは、前記隔壁内で前記放電電極対と実質的に垂直方向に離隔されて配置され、前記放電電極対と交差して延びるアドレス電極をさらに備え、
前記アドレス電極は、延びる方向に沿って配置された各放電セルの少なくとも一部分を取り囲むことを特徴とする請求項９に記載のプラズマディスプレイパネル。
【請求項１１】
互いに離隔されて対向して配置される第１基板及び第２基板と、
前記第１基板と前記第２基板との間に配置され、複数個の放電セルを画定する隔壁と、前記放電セルで放電を起こす放電電極対とを備え、実質的な放電が発生する放電領域と当該放電領域の少なくとも一部分を取り囲む非放電領域とに区画される電極シートと、を備え、
前記電極シートの放電領域の少なくとも一部分が前記第１基板と離隔されて排気空間を形成するように、前記電極シートの非放電領域に対応する第１基板の部分には段差が形成されていることを特徴とするプラズマディスプレイパネル。
【請求項１２】
前記電極シートの非放電領域は、前記放電領域を取り囲むように配置されることを特徴とする請求項１１に記載のプラズマディスプレイパネル。
【請求項１３】
前記段差は、前記第１基板のエッジに沿って形成されることを特徴とする請求項１２に記載のプラズマディスプレイパネル。
【請求項１４】
前記第１基板は、中心部と、前記段差により前記中心部よりも厚い周辺部とを備え、
前記プラズマディスプレイパネルは、前記放電セルを密封するように、前記周辺部と前記第２基板とを結合する密封層をさらに備えることを特徴とする請求項１１に記載のプラズマディスプレイパネル。
【請求項１５】
前記電極シートは、実質的に均一な厚さを有することを特徴とする請求項１１に記載のプラズマディスプレイパネル。
【請求項１６】
前記放電セルに対向する前記第１基板上には、グルーブが形成されていることを特徴とする請求項１１に記載のプラズマディスプレイパネル。
【請求項１７】
前記グルーブ内に配置される蛍光体層をさらに備えることを特徴とする請求項１６に記載のプラズマディスプレイパネル。
【請求項１８】
前記各放電電極対は、前記隔壁内で前記第１基板に実質的に垂直方向に離隔されて配置される第１放電電極及び第２放電電極を備え、
前記第１放電電極と前記第２放電電極とは、互いに交差して延びており、
前記第１放電電極及び第２放電電極は、それぞれ延びる方向に沿って配置された各放電セルの少なくとも一部分を取り囲むことを特徴とする請求項１１に記載のプラズマディスプレイパネル。
【請求項１９】
前記各放電電極対は、前記隔壁内で前記第１基板に実質的に垂直方向に離隔されて配置される第１放電電極及び第２放電電極を備え、
前記第１放電電極と前記第２放電電極とは、互いに平行に延びており、
前記第１放電電極及び第２放電電極は、それぞれ延びる方向に沿って配置された各放電セルの少なくとも一部分を取り囲むことを特徴とする請求項１１に記載のプラズマディスプレイパネル。
【請求項２０】
前記プラズマディスプレイパネルは、前記隔壁内で前記放電電極対と実質的に垂直方向に離隔されて配置され、前記放電電極対と交差して延びるアドレス電極をさらに備え、
前記アドレス電極は、延びる方向に沿って配置された各放電セルの少なくとも一部分を取り囲むことを特徴とする請求項１９に記載のプラズマディスプレイパネル。
【発明の詳細な説明】
【技術分野】
【０００１】
本発明は、プラズマディスプレイパネルに係り、特に排気能力が向上したプラズマディスプレイパネルに関する。
【背景技術】
【０００２】
プラズマディスプレイパネル（ＰＤＰ）は、ガス放電現象を利用して画像を表示するディスプレイパネルであって、輝度、コントラスト、残像、及び視野角などの各種の表示能力が優秀であり、薄型であり、大画面表示が可能であって次世代の大型ディスプレイパネルとして脚光を浴びている。
【０００３】
図１は、一般的なＰＤＰ１００の分離斜視図である。ＰＤＰ１００は、第１基板１０１と、第１基板１０１上に配置された維持電極１０６，１０７と、維持電極を覆う第１誘電体層１０９と、第１誘電体層を覆う保護層１１１と、第１基板１０１に対向して配置される第２基板１１５と、第２基板１１５上に互いに平行に配置されたアドレス電極１１７と、アドレス電極１１７を覆う第２誘電体層１１３と、第２誘電体層１１３上に形成された隔壁１１４と、第２誘電体層１１３の上面及び隔壁１１４の側面に形成された蛍光体層１１０とを備える。
【０００４】
しかし、ＰＤＰ１００においては、放電セル１１９が隔壁１１４により塞がれているため、放電セル１１９に残存する不純ガスを容易に排気できないという問題点がある。
【発明の開示】
【発明が解決しようとする課題】
【０００５】
本発明の目的は、排気能力が向上したＰＤＰを提供するところにある。
【課題を解決するための手段】
【０００６】
本発明は、互いに離隔されて対向して配置される第１基板及び第２基板と、前記第１基板と前記第２基板との間に配置され、複数個の放電セルを画定する隔壁及び前記放電セルで放電を起こす放電電極対を備え、実質的な放電が発生する放電領域と当該放電領域の少なくとも一部分を取り囲む非放電領域とに区画される電極シートと、前記非放電領域に対応する前記第１基板の部分に形成された離隔層と、を備え、前記電極シートの放電領域の少なくとも一部分が前記第１基板と離隔されて排気空間を形成するように、前記電極シートの非放電領域の一部分は、前記離隔層と前記第２基板との間に配置されるＰＤＰを提供する。
【０００７】
本発明において、前記離隔層は、前記第１基板のエッジに沿って形成されうる。また、前記ＰＤＰは、前記放電セルを密封するように、前記離隔層と前記第２基板とを結合する密封層をさらに備えうる。
【０００８】
本発明の他の側面によれば、本発明は、互いに離隔されて対向して配置される第１基板及び第２基板と、前記第１基板と前記第２基板との間に配置され、複数個の放電セルを画定する隔壁及び前記放電セルで放電を起こす放電電極対を備え、実質的な放電が発生する放電領域と当該放電領域の少なくとも一部分を取り囲む非放電領域とに区画される電極シートと、を備え、前記電極シートの放電領域の少なくとも一部分が前記第１基板と離隔されて排気空間を形成するように、前記電極シートの非放電領域に対応する第１基板の部分には段差が形成されているＰＤＰを提供する。
【０００９】
本発明において、前記段差は、前記第１基板のエッジに沿って形成されうる。また、前記第１基板は、中心部及び前記段差により前記中心部より厚い周辺部を備え、前記ＰＤＰは、前記放電セルを密封するように、前記周辺部と前記第２基板とを結合する密封層をさらに備えうる。
【００１０】
本発明において、前記電極シートは、実質的に均一な厚さを有しうる。また、本発明において、前記放電セルに対向する前記第１基板上には、グルーブが形成されており、前記グルーブ内には、蛍光体層が形成されている。
【００１１】
また、前記各放電電極対は、前記隔壁内で前記第１基板に実質的に垂直方向に離隔されて配置される第１放電電極及び第２放電電極を備え、前記第１放電電極と前記第２放電電極とは、互いに交差して延びており、前記第１放電電極及び第２放電電極は、それぞれ延びる方向に沿って配置された各放電セルの少なくとも一部分を取り囲む。
【００１２】
また、前記各放電電極対は、前記隔壁内で前記第１基板に実質的に垂直方向に離隔されて配置される第１放電電極及び第２放電電極を備え、前記第１放電電極と前記第２放電電極とは、互いに平行に延びており、前記第１放電電極及び第２放電電極は、それぞれ延びる方向に沿って配置された各放電セルの少なくとも一部分を取り囲む。このとき、前記ＰＤＰは、前記隔壁内で前記放電電極対と実質的に垂直方向に離隔されて配置され、前記放電電極対と実質的に交差して延びるアドレス電極をさらに備え、前記アドレス電極は、延びる方向に沿って配置された各放電セルの少なくとも一部分を取り囲む。
【発明の効果】
【００１３】
本発明によるＰＤＰでは、第１基板と電極シートとが離隔されるため、放電セルの間に排気空間が形成される。したがって、ＰＤＰの排気能力が向上する。
【発明を実施するための最良の形態】
【００１４】
以下、添付された図面を参照して、本発明の実施形態を詳細に説明する。
【００１５】
図２は、本発明の一実施形態によるＰＤＰ２００の部分分離斜視図であり、図３は、図２のIII−III線に沿った断面図である。また、図４は、図２に示した放電セル２３０、第１及び第２放電電極２６０，２７０の概略的な配置図である。
【００１６】
ＰＤＰ  ２００は、第１基板２１０、第２基板２２０、電極シート２５０、及び蛍光体層２２５を備える。
【００１７】
第１基板２１０は、一般的にはガラスを主成分とする光透過性に優れた素材で製造される。ただし、反射輝度を低下させて明室コントラストを向上させるために、第１基板２１０は着色されうる。また、第２基板２２０は、第１基板２１０から所定の間隔ほど離隔されて対向して配置され、第１基板２１０との間に複数個の放電セル２３０及び非放電セル２３５を限定する。放電セル２３０は、実質的に放電が発生する空間であり、非放電セル２３５は、実質的に放電が発生しない空間である。第２基板２２０は、ガラスのように光透過性に優れた材料で製造され、着色されることもある。
【００１８】
放電セル２３０で生成された可視光が第１基板２１０を通じて外部に出射されうる。一般的なＰＤＰ１００では、第１基板１０１上に維持電極１０６，１０７、第１誘電体層１０９、及び保護層１１１が配置されているため、可視光の透過率が低い。しかし、本実施形態では、第１基板２１０上に蛍光体層２２５以外には可視光を吸収する別途の構成要素が配置されていないため、可視光の透過率が非常に向上する。
【００１９】
図２に示すように、電極シート２５０は、複数個の放電セル２３０及び非放電セル２３５を画定する隔壁２１４を備える。隔壁２１４は、円形の横断面を有する放電セル２３０及び非放電セル２３５を画定すると図示されているが、本発明は、これに限定されるものではない。すなわち、隔壁２１４は、放電セル２３０及び非放電セル２３５の横断面が円形以外にも、三角形、四角形、及び五角形などの多角形、または楕円形などに形成されうる。図２及び図３に示すように、非放電セル２３５は、放電セル２３０を取り囲むように配置されている。したがって、電極シート２５０は、放電セル２３０が配置される放電空間Ｄと、放電空間Ｄを取り囲み、非放電セル２３５及び端子領域（図示せず）を備える非放電空間Ｎとに画定される。
【００２０】
電極シート２５０は、複数個の放電電極対を備え、各放電電極対は、第１放電電極２６０及び第２放電電極２７０を備える。図２及び図３に示すように、第１放電電極２６０及び第２放電電極２７０は、隔壁２１４の内部に配置されている。第１放電電極２６０は、第２放電電極２７０と対をなして放電セル２３０で放電を起こす。各第１放電電極２６０は、第１方向（Ｘ方向）に沿って配置された放電セル２３０を取り囲みつつ延びる。
【００２１】
第２放電電極２７０は、第１放電電極２６０が延びる第１方向（Ｘ方向）と交差する第２方向（Ｙ方向）に沿って配置された放電セル２３０を取り囲みつつ延び、隔壁２１４内で第１基板２１０に垂直方向（ｚ方向）に離隔されて配置される。このとき、第２放電電極２７０が第１放電電極２６０より第１基板２１０に隣接するように配置されるが、本発明は、これに限定されない。
【００２２】
本実施形態によるＰＤＰ２００では、２電極構造をなす。したがって、第１放電電極２６０と第２放電電極２７０のうち一つは、走査及び維持電極の作用を行い、他の一つは、アドレシング及び維持電極の作用を行う。
【００２３】
図２及び図３に示すように、第１放電電極２６０及び第２放電電極２７０は、隔壁２１４内に配置されるため、可視光の透過率を低下させない。したがって、第１放電電極２６０及び第２放電電極２７０は、アルミニウム、銅のような導電性金属で形成されうる。導電性金属は、電圧降下が小さいため、第１放電電極２６０及び第２放電電極２７０は、安定的に信号を伝達できる。
【００２４】
隔壁２１４は、隣接した第１放電電極２６０と第２放電電極２７０との間に直接通電されることを防止し、陽イオンまたは電子が第１及び第２放電電極２６０，２７０に直接衝突して第１及び第２放電電極２６０，２７０を損傷させることを防止する。また、隔壁２１４は、電荷を誘導して壁電荷を蓄積する機能を有する。したがって、隔壁２１４は、誘電体で形成されている。
【００２５】
電極シート２５０は、隔壁２１４の側面に形成される保護層２１５をさらに備える。保護層２１５は、プラズマ粒子が隔壁２１４を損傷させることを防止する。また、保護層２１５は、二次電子を放出して放電電圧を低める役割を果たす。保護層２１５は、隔壁２１４の側面に酸化マグネシウム（ＭｇＯ）を蒸着することによって形成されうる。
【００２６】
放電セル２３０に対向する第１基板の部分には、グルーブ（溝部）２１０ａが形成されている。グルーブ２１０ａは、放電セル２３０ごとに形成されてもよく、複数個の放電セル２３０に一つのグルーブ２１０ａが対応して形成されてもよい。グルーブ２１０ａにより第１基板２１０の厚さが薄くなるため、可視光の透過率が向上する。
【００２７】
グルーブ２１０ａ内には、それぞれ赤色、緑色、青色発光蛍光体層２２５が配置されている。グルーブ２１０ａにより蛍光体層２２５の面積が増大するため、輝度及び発光効率が向上する。蛍光体層２２５は、紫外線を受けて可視光線を発生させる成分を有するが、赤色発光蛍光体層は、Ｙ（Ｖ，Ｐ）Ｏ４：Ｅｕのような蛍光体を含み、緑色発光蛍光体層は、Ｚｎ２ＳｉＯ４：Ｍｎ，ＹＢＯ３：Ｔｂのような蛍光体を含み、青色発光蛍光体層は、ＢＡＭ：Ｅｕのような蛍光体を含む。
【００２８】
電極シートの非放電領域Ｎに対応する第１基板の部分には、離隔層２５５が形成されている。離隔層２５５は、第１基板２１０の端部（エッジ）に沿って形成される閉鎖型構造を有する。電極シート２５０は、離隔層２５５と第２基板２２０との間に配置され、さらに詳しくは、電極シートの放電領域Ｄの全体及び非放電領域Ｎの一部分は、第１基板２１０と第２基板２２０との間に配置され、電極シートの非放電領域Ｎの残りの部分は、離隔層２５５と第２基板２２０との間に配置される。このとき、電極シート２５０は、実質的に均一な厚さ（同じ厚さ）Ｔを有するため、電極シートの放電領域Ｄが全体的に第１基板２１０と離隔されて排気空間２５７を形成する。排気空間２５７は、全体の放電セル２３０の間にわたって形成されるため、不純ガスを容易に外部に排出できるので、排気性能が非常に向上する。
【００２９】
離隔層２５５と第２基板２２０との間には、密封部材（密封層）２９８が配置されている。密封部材２９８は、電極シート２５０を取り囲むように形成され、第１基板２１０と第２基板２２０とを結合して放電セル２３０を外部から密封する。密封部材２９８は、フリットガラスで形成されうる。放電セル２３０内には、Ｎｅ、Ｘｅ、及びそれらの混合気体のような放電ガスが封入される。
【００３０】
ＰＤＰ２００を製造する方法は、次の通りである。まず、第１基板２１０、第２基板２２０、及び電極シート２５０を準備する。次いで、第１基板２１０をエッチングまたはサンドブラスティングしてグルーブ２１０ａを形成する。次いで、グルーブ２１０ａ内に蛍光体層用ペーストをそれぞれ塗布し、乾燥及び焼成して蛍光体層２２５を形成する。また、蛍光体層２２５の形成工程と同時に、離隔層２５５を形成できる。
【００３１】
電極シート２５０は、多様な方法を通じて製造され、望ましくは、次のような方法で製造される。まず、図３に示したように、誘電体シート２１４ａ、第１放電電極２６０が形成された誘電体シート２１４ｂ、誘電体シート２１４ｃ、第２放電電極２７０が形成された誘電体シート２１４ｄ、及び誘電体シート２１４ｅを順次に積層した後、それを乾燥及び焼成する。次いで、保護層２１５を蒸着して電極シート２５０を形成する。上記のように、電極シート２５０が類似した工程を通じて形成されるので、製造方法が非常に単純になるという長所がある。第１基板２１０、第２基板２２０、及び電極シート２５０が準備された後には、フリットガラスを利用して離隔層２５５と第２基板２２０とを封着する。次いで、排気／放電ガスの注入工程を連続的にしてＰＤＰを製造する。
【００３２】
上記のような構成を有する本発明の一実施形態によるＰＤＰ２００の駆動方法は、次の通りである。
【００３３】
まず、第１放電電極２６０と第２放電電極２７０との間にアドレス放電が起き、このアドレス放電の結果により維持放電が起きる放電セル２３０が選択される。次いで、選択された放電セル２３０の第１放電電極２６０と第２放電電極２７０との間に交流である維持電圧が印加されれば、第１放電電極２６０と第２放電電極２７０との間に維持放電が起きる。この維持放電により励起された放電ガスのエネルギー準位が低くなりつつ紫外線が放出される。そして、この紫外線が蛍光体層２２５を励起させるが、この励起された蛍光体層２２５のエネルギー準位が低くなりつつ可視光が放出され、この放出された可視光が画像を構成する。
【００３４】
一般的なＰＤＰ１００においては、維持電極１０６，１０７間の維持放電が第１基板に水平方向に起きて放電面積が相対的に狭い。しかし、本実施形態によるＰＤＰ２００の維持放電は、隔壁２１４のあらゆる側面で起きるだけでなく、放電面積が相対的に広いという長所がある。また、本実施形態での維持放電は、隔壁２１４の側面に沿って閉曲線で形成されていて次第に放電セル２３０の中央部に拡散される。これにより、維持放電が起きる領域の体積が増大する。また、維持放電が放電セル２３０の中心部分でのみ主に行われるので、蛍光体のイオンスパッタリングが防止される。したがって、同じ画像を長期間表示しても永久残像が生じないという長所がある。
【００３５】
図５は、本発明の一実施形態の変形例によるＰＤＰ３００の断面図であり、図６は、図５に示した放電セル３３０、第１及び第２放電電極３６０，３７０、ならびにアドレス電極３９０の概略的な配置図である。以下では、前述した一実施形態と異なる点を中心に説明する。
【００３６】
ＰＤＰ３００は、第１基板３１０、第２基板３２０、電極シート３５０、及び蛍光体層３２５を備える。第１基板３１０及び第２基板３２０は、一般的にガラスで形成される。
【００３７】
図５に示すように、電極シート３５０は、複数個の放電セル３３０及び非放電セル３３５を画定する隔壁３１４を備える。隔壁３１４は、誘電体で形成される。また、電極シート３５０は、複数個の放電電極対を備え、各放電電極対は、第１放電電極３６０及び第２放電電極３７０を備える。図５及び図６に示すように、第１放電電極３６０及び第２放電電極３７０は、隔壁３１４の内部で第１基板３１０に垂直方向（Ｚ方向）に離隔されて配置される。第１放電電極３６０は、第２放電電極３７０と対をなして放電セル３３０で放電を起こす。各第１放電電極３６０及び第２放電電極３７０は、互いに平行に延び、第１方向（Ｘ方向）に沿って配置された放電セル３３０をそれぞれ取り囲みつつ延びる。
【００３８】
また、電極シート３５０は、第１放電電極３６０及び第２放電電極３７０と交差するアドレス電極３９０をさらに備える。アドレス電極３９０は、隔壁３１４内で第１及び第２放電電極３６０，３７０と第１基板３１０とに垂直方向（Ｚ方向）に離隔されて配置されている。各アドレス電極３９０は、第２方向（Ｙ方向）に沿って配置された各放電セル３３０を取り囲むように延びる。図５に示すように、アドレス放電電圧を低めるために、第１基板３１０に近い順に第２放電電極３７０、アドレス電極３９０、第１放電電極３６０が順次に配置されている。しかし、本発明は、これに限定されず、アドレス電極３９０が第１基板３１０に最も近く配置されるか、または最も遠く配置されてもよく、アドレス電極３９０が第２基板３２０上に形成されてもよい。アドレス電極３９０は、第１放電電極３６０と第２放電電極３７０との間の維持放電をさらに容易にするためのアドレス放電を起こすためのものであって、さらに具体的には、維持放電が開始される電圧を低める役割を果たす。本実施形態では、第１放電電極３６０が走査電極として作用し、第２放電電極３７０が維持電極として作用するが、本発明は、これに限定されない。
【００３９】
電極シート３５０は、隔壁３１４の側面に形成される保護層３１５をさらに備える。放電セル３３０に対向する第１基板の部分には、グルーブ３１０ａが形成されている。グルーブ３１０ａ内には、それぞれ赤色、緑色、青色発光蛍光体層３２５が配置されている。
【００４０】
電極シートの非放電領域Ｎに対応する第１基板の部分には、離隔層３５５が形成されている。離隔層３５５は、第１基板３１０のエッジに沿って形成される閉鎖型構造を有する。電極シート３５０は、離隔層３５５と第２基板３２０との間に配置される。このとき、電極シート３５０は、実質的に同じ厚さを有するため、電極シートの放電領域Ｄが全体的に第１基板３１０と離隔されて排気空間３５７を形成する。排気空間３５７は、全体の放電セル３３０の間にわたって形成されるため、不純ガスを容易に外部に排出できるので、排気性能が非常に向上する。
【００４１】
離隔層３５５と第２基板３２０との間には、密封部材３９８が配置されている。密封部材３９８は、電極シート３５０を取り囲むように形成され、第１基板３１０と第２基板３２０とを結合して放電セル３３０を外部から密封する。密封部材３９８は、フリットガラスで形成されうる。放電セル３３０内には、Ｎｅ、Ｘｅ、及びそれらの混合気体のような放電ガスが封入される。
【００４２】
上記のような構成を有するＰＤＰ３００の駆動方法は、次の通りである。
【００４３】
まず、第１放電電極３６０とアドレス電極３９０との間にアドレス放電が起き、このアドレス放電の結果により維持放電が起きる放電セル３３０が選択される。次いで、選択された放電セル３３０の第１放電電極３６０と第２放電電極３７０との間に交流である維持電圧が印加されれば、第１放電電極３６０と第２放電電極３７０との間に維持放電が起きる。この維持放電により励起された放電ガスのエネルギー準位が低くなりつつ紫外線が放出される。そして、この紫外線が蛍光体層３２５を励起させるが、この励起された蛍光体層３２５のエネルギー準位が低くなりつつ可視光が放出され、この放出された可視光が画像を構成する。
【００４４】
図７は、本発明の他の実施形態によるＰＤＰ４００の断面図である。以下では、前述した一実施形態と異なる点を中心に説明する。
【００４５】
ＰＤＰ４００は、第１基板４１０、第２基板４２０、電極シート４５０、及び蛍光体層４２５を備える。第１基板４１０及び第２基板４２０は、一般的にガラスで形成される。
【００４６】
電極シート４５０は、複数個の放電セル４３０及び非放電セル４３５を画定する隔壁４１４を備える。隔壁４１４は、誘電体で形成される。また、電極シート４５０は、複数個の放電電極対を備え、各放電電極対は、第１放電電極４６０及び第２放電電極４７０を備える。第１放電電極４６０及び第２放電電極４７０の構造及び作用は、図４に示した第１放電電極２６０及び第２放電電極２７０と類似しているので、ここでは省略する。また、ＰＤＰ４００は、２電極構造を有するが、３電極構造も有し、これについての詳細な事項は、図６及び前述した変形例の第１放電電極３６０、第２放電電極３７０、及びアドレス電極３９０を参照すればよい。
【００４７】
電極シート４５０は、隔壁４１４の側面に形成される保護層４１５をさらに備える。また、放電セル４３０に対向する第１基板の部分には、グルーブ４１０ａが形成されている。グルーブ４１０ａ内には、それぞれ赤色、緑色、青色発光蛍光体層３２５が配置されている。
【００４８】
電極シートの非放電領域Ｎに対応する第１基板の部分には、段差４１３が形成されている。したがって、第１基板４１０は、中心部４１１と、段差４１３により中心部の厚さＨ１より厚い厚さＨ２を有する周辺部４１２とを備える。周辺部４１２は、中心部４１１を取り囲むように形成される。また、中心部４１１は、放電領域Ｄの全体及び非放電領域Ｎの一部分に対応し、周辺部４１２は、非放電領域Ｎの残りの部分に対応する。
【００４９】
電極シート４５０は、周辺部４１２と第２基板４２０との間に配置される。このとき、電極シート４５０は、実質的に同じ厚さを有するため、電極シートの放電領域Ｄが全体的に第１基板４１０と離隔されて排気空間４５７を形成する。排気空間４５７は、全体の放電セル４３０の間にわたって形成されるため、不純ガスを容易に外部に排出できるので、排気性能が非常に向上する。
【００５０】
周辺部４１２と第２基板４２０との間には、密封部材４９８が配置されている。密封部材４９８は、電極シート４５０を取り囲むように形成され、第１基板４１０と第２基板４２０とを結合して放電セル４３０を外部から密封する。密封部材４９８は、フリットガラスで形成されうる。放電セル４３０内には、Ｎｅ、Ｘｅ、及びそれらの混合気体のような放電ガスが封入される。
【００５１】
上記のような構成を有するＰＤＰ４００の駆動方法は、前述した一実施形態と類似しているので、ここでは省略する。
【００５２】
本発明は、図面に示した実施形態を参考にして説明されたが、これは、例示的なものに過ぎず、当業者であれば、これから多様な変形及び均等な他の実施形態が可能であるという点を理解できるであろう。したがって、本発明の真の技術的保護範囲は、特許請求の範囲の技術的思想により決まらねばならない。
【産業上の利用可能性】
【００５３】
本発明は、ＰＤＰ関連の技術分野に適用可能である。
【図面の簡単な説明】
【００５４】
【図１】一般的なＰＤＰの分離斜視図である。
【図２】本発明の一実施形態によるＰＤＰの部分分離斜視図である。
【図３】図２のIII−III線に沿った部分断面図である。
【図４】図２に示した放電セル、第１及び第２放電電極を示す配置図である。
【図５】図２に示したＰＤＰの変形例によるＰＤＰの断面図である。
【図６】図５に示した放電セル、第１及び第２放電電極、ならびにアドレス電極を示す配置図である。
【図７】本発明の他の実施形態によるＰＤＰの断面図である。
【符号の説明】
【００５５】
２００    ＰＤＰ、
２１０    第１基板、
２１０ａ    グルーブ、
２１４    隔壁、
２１５    保護層、
２２０    第２基板、
２２５    蛍光体層、
２３０    放電セル、
２３５    非放電セル、
２５０    電極シート、
２５５    離隔層、
２６０    第１放電電極、
２７０    第２放電電極、
２９８    密封部材。
【図１】
2007242610.tif 000003
【図２】
2007242610.tif 000004
【図３】
2007242610.tif 000005
【図４】
2007242610.tif 000006
【図５】
2007242610.tif 000007
【図６】
2007242610.tif 000008
【図７】
2007242610.tif 000009